(57)【特許請求の範囲】
【請求項１】
ＩＣタグを備えるリーダライタであって、
前記ＩＣタグは、
所定のデータを記憶するメモリと、
第１のＩＣチップとの間で無線通信を行うための第１のアンテナと、
前記第１のＩＣチップから第１のポーリング間隔で繰り返し無線送信されるポーリングを前記第１のアンテナを介して受信した場合に、当該ポーリングに対するレスポンスを前記第１のアンテナを介して前記第１のＩＣチップへ無線送信するレスポンス手段と、
前記レスポンス手段により無線送信されたレスポンスに応じて前記第１のＩＣチップから無線送信されたコマンドを前記第１のアンテナを介して受信した場合に、前記メモリに記憶されたデータを前記第１のアンテナを介して前記第１のＩＣチップへ無線送信するデータ送信手段と、
を備え、
前記リーダライタは、
第２のＩＣチップとの間で無線通信を行うための第２のアンテナと、
前記第１のポーリング間隔より長い第２のポーリング間隔でポーリングを前記第２のアンテナを介して繰り返し無線送信するポーリング手段と、
前記ポーリング手段により無線送信されたポーリングに対するレスポンスを前記第２のＩＣチップから前記第２のアンテナを介して受信した場合に、予め設定されたコマンドを前記第２のアンテナを介して前記第２のＩＣチップへ無線送信するコマンド送信手段と、
を備えることを特徴とするリーダライタ。
【請求項２】
ＩＣタグを備えるリーダライタであって、
前記ＩＣタグは、
所定のデータを記憶するメモリと、
第１のＩＣチップとの間で無線通信を行うための第１のアンテナと、
前記第１のＩＣチップから第１のポーリング間隔で繰り返し無線送信されるポーリングを前記第１のアンテナを介して受信した場合に、当該ポーリングに対するレスポンスを前記第１のアンテナを介して前記第１のＩＣチップへ無線送信するレスポンス手段と、
前記レスポンス手段により無線送信されたレスポンスに応じて前記第１のＩＣチップから無線送信されたコマンドを前記第１のアンテナを介して受信した場合に、前記メモリに記憶されたデータを前記第１のアンテナを介して前記第１のＩＣチップへ無線送信するデータ送信手段と、
を備え、
前記リーダライタは、
第２のＩＣチップとの間で無線通信を行うための第２のアンテナと、
前記第１のポーリング間隔より長い200msec以上の第２のポーリング間隔でポーリングを前記第２のアンテナを介して繰り返し無線送信するポーリング手段と、
前記ポーリング手段により無線送信されたポーリングに対するレスポンスを前記第２のＩＣチップから前記第２のアンテナを介して受信した場合に、予め設定されたコマンドを前記第２のアンテナを介して前記第２のＩＣチップへ無線送信するコマンド送信手段と、
を備えることを特徴とするリーダライタ。
【請求項３】
前記第１のアンテナ及び前記第２のアンテナは、導体により構成される線状のアンテナであって、無線通信により一方の前記アンテナに生じる磁界が他方の前記アンテナに影響しないように、２つの前記アンテナの形状で並行する部分がある場合に前記アンテナ間の距離が互いに所定距離以上離れるように配置されていることを特徴とする請求項１又は２に記載のリーダライタ。
【請求項４】
前記所定のデータは、Ｗｅｂブラウザによりアクセス可能な所定のＷｅｂサイトのＵＲＬであることを特徴とする請求項１乃至３の何れか一項に記載のリーダライタ。
【請求項５】
前記予め設定されたコマンドは、Ｗｅｂブラウザに所定のＷｅｂサイトへアクセスさせるコマンドであることを特徴とする請求項１乃至４の何れか一項に記載のリーダライタ。
【発明の詳細な説明】
【技術分野】
【０００１】
本発明は、ＩＣチップとの間で無線通信を行うリーダライタの技術分野に関する。
【背景技術】
【０００２】
従来から、近距離無線通信規格であるFeliCa（登録商標）が採用されたＩＣチップ（以下、「Ｆチップ」という）を搭載する携帯端末（以下、「Ｆチップ搭載端末」という）が知られており、例えばおサイフケータイ（登録商標）等のサービスに利用されている。一方、近年、近距離無線通信規格の国際標準「ISO/IEC 18092」として承認されたNFC(Near Field Communication)が採用されたＩＣチップ（以下、「Ｎチップ」という）を搭載する携帯端末（以下、「Ｎチップ搭載端末」という）が知られている（特許文献１参照）。FeliCa（登録商標）とNFCの双方とも、カードエミュレーションモード、リーダライタモード、及び相互接続（peer-to-peer）モードが利用可能になっている。
【０００３】
Ｆチップ搭載端末に関する現状のサービスでは、Ｆチップはカードエミュレーションモードが採用されている。このカードエミュレーションモードでは、Ｆチップが、例えば店舗等に設置されたリーダライタから定期的に送出されるポーリングを検知した場合に該ポーリングに対するレスポンスをリーダライタへ送信するようになっている。これにより、リーダライタは発見したＦチップへ所定のコマンドを送信することでＦチップ搭載端末は該コマンドに応じた動作、例えば、所定の情報提供サイトへのアクセス（サイトアクセス）を行う。
【０００４】
一方、Ｎチップ搭載端末に関する現状のサービスでは、Ｎチップは、リーダライタモードが採用されている。このリーダライタモードでは、例えば、Ｎチップが、定期的にポーリングを送出することにより、例えば店舗等に設置されたスマートポスターに埋め込まれたＩＣタグからレスポンスを受信（ＩＣタグを発見）するようになっている。これにより、Ｎチップ搭載端末がＩＣタグへ読み取りコマンドを送信して該ＩＣタグから情報を取得して所定の動作、例えば、所定の情報提供サイトへのアクセスを行う。
【先行技術文献】
【特許文献】
【０００５】
【特許文献１】特開２００７−１８３７８０号公報
【発明の概要】
【発明が解決しようとする課題】
【０００６】
ところで、Ｆチップ搭載端末とＮチップ搭載端末の双方に対して同じようにサイトアクセスのサービスを提供するためには、Ｆチップ搭載端末用のリーダライタとＮチップ搭載端末用のＩＣタグとを同じ場所に設置する必要がある。しかしながら、この場合、Ｆチップ搭載端末用のリーダライタから送出されるポーリングと、Ｎチップ搭載端末に搭載されるＮチップから送出されるポーリングとが衝突（コリジョン）することにより、Ｆチップ搭載端末またはＮチップ搭載端末が動作しなくなるという問題がある。
【０００７】
そこで、本発明は、このような問題等に鑑みてなされたものであり、リーダライタとＩＣタグとが同じ場所に設置された場合であっても、リーダライタから送出されるポーリングと、Ｎチップから送出されるポーリングとが衝突（コリジョン）することを低減することが可能なリーダライタを提供することを目的とする。
【課題を解決するための手段】
【０００８】
上記課題を解決するために、請求項１に記載の発明は、ＩＣタグを備えるリーダライタであって、前記ＩＣタグは、所定のデータを記憶するメモリと、第１のＩＣチップとの間で無線通信を行うための第１のアンテナと、前記第１のＩＣチップから第１のポーリング間隔で繰り返し無線送信されるポーリングを前記第１のアンテナを介して受信した場合に、当該ポーリングに対するレスポンスを前記第１のアンテナを介して前記第１のＩＣチップへ無線送信するレスポンス手段と、前記レスポンス手段により無線送信されたレスポンスに応じて前記第１のＩＣチップから無線送信されたコマンドを前記第１のアンテナを介して受信した場合に、前記メモリに記憶されたデータを前記第１のアンテナを介して前記第１のＩＣチップへ無線送信するデータ送信手段と、を備え、前記リーダライタは、第２のＩＣチップとの間で無線通信を行うための第２のアンテナと、前記第１のポーリング間隔より長い第２のポーリング間隔でポーリングを前記第２のアンテナを介して繰り返し無線送信するポーリング手段と、前記ポーリング手段により無線送信されたポーリングに対するレスポンスを前記第２のＩＣチップから前記第２のアンテナを介して受信した場合に、予め設定されたコマンドを前記第２のアンテナを介して前記第２のＩＣチップへ無線送信するコマンド送信手段と、を備えることを特徴とする。
【０００９】
請求項２に記載の発明は、ＩＣタグを備えるリーダライタであって、前記ＩＣタグは、所定のデータを記憶するメモリと、第１のＩＣチップとの間で無線通信を行うための第１のアンテナと、前記第１のＩＣチップから第１のポーリング間隔で繰り返し無線送信されるポーリングを前記第１のアンテナを介して受信した場合に、当該ポーリングに対するレスポンスを前記第１のアンテナを介して前記第１のＩＣチップへ無線送信するレスポンス手段と、前記レスポンス手段により無線送信されたレスポンスに応じて前記第１のＩＣチップから無線送信されたコマンドを前記第１のアンテナを介して受信した場合に、前記メモリに記憶されたデータを前記第１のアンテナを介して前記第１のＩＣチップへ無線送信するデータ送信手段と、を備え、前記リーダライタは、第２のＩＣチップとの間で無線通信を行うための第２のアンテナと、前記第１のポーリング間隔より長い200msec以上の第２のポーリング間隔でポーリングを前記第２のアンテナを介して繰り返し無線送信するポーリング手段と、前記ポーリング手段により無線送信されたポーリングに対するレスポンスを前記第２のＩＣチップから前記第２のアンテナを介して受信した場合に、予め設定されたコマンドを前記第２のアンテナを介して前記第２のＩＣチップへ無線送信するコマンド送信手段と、を備えることを特徴とする。
【００１０】
請求項３に記載の発明は、請求項１又は２に記載のリーダライタにおいて、前記第１のアンテナ及び前記第２のアンテナは、導体により構成される線状のアンテナであって、無線通信により一方の前記アンテナに生じる磁界が他方の前記アンテナに影響しないように、２つの前記アンテナの形状で並行する部分がある場合に前記アンテナ間の距離が互いに所定距離以上離れるように配置されていることを特徴とする。
【００１１】
請求項４に記載の発明は、請求項１乃至３の何れか一項に記載のリーダライタにおいて、前記所定のデータは、Ｗｅｂブラウザによりアクセス可能な所定のＷｅｂサイトのＵＲＬであることを特徴とする。
【００１２】
請求項５に記載の発明は、請求項１乃至４の何れか一項に記載のリーダライタにおいて、前記予め設定されたコマンドは、Ｗｅｂブラウザに所定のＷｅｂサイトへアクセスさせるコマンドであることを特徴とする。
【発明の効果】
【００１３】
本発明によれば、リーダライタとＩＣタグとが同じ場所に設置された場合であっても、リーダライタから送出されるポーリングと、第１のＩＣチップから送出されるポーリングとが衝突（コリジョン）することを低減することができる。
【図面の簡単な説明】
【００１４】
【図１】本実施形態に係る情報提供システムＳの概要構成例を示す図である。
【図２】（Ａ）は、リーダライタＲＷの概要構成例を示す図であり、（Ｂ）は、リーダライタＲＷの上部から見たアンテナ１１とアンテナ２１の配置関係の一例を示す図である。
【図３】本実施形態に係る情報提供システムＳの動作例を示すシーケンス図である。
【発明を実施するための形態】
【００１５】
以下、図面を参照して本発明の実施形態について詳細に説明する。以下に説明する実施形態は、情報提供システムに対して本発明を適用した場合の実施の形態である。
【００１６】
［１．情報提供システムＳの構成及び機能］
先ず、図１等を参照して、本実施形態に係る情報提供システムＳの構成及び機能について説明する。図１は、本実施形態に係る情報提供システムＳの概要構成例を示す図である。
【００１７】
図１に示すように、情報提供システムＳは、ＩＣタグＴａｇを備えるリーダライタＲＷ、Ｆチップ搭載端末ＴＦ、Ｎチップ搭載端末ＴＮ、及び情報提供サーバＳＡを備えて構成されている。Ｆチップ搭載端末ＴＦ及びＮチップ搭載端末ＴＮは、それぞれ、ネットワークＮＷ上で情報を提供する情報提供サイト（Ｗｅｂブラウザによりアクセス可能な所定のＷｅｂサイトの一例）へアクセス可能になっている。情報提供サーバＳＡは、情報提供サイトを運営するために設置されたサーバである。ネットワークＮＷは、インターネット、専用通信回線（例えば、ＣＡＴＶ（Community Antenna Television）回線）、移動体通信網（基地局等を含む）、及びゲートウェイ等により構築されている。
【００１８】
なお、図１の例では、リーダライタＲＷ、Ｆチップ搭載端末ＴＦ、及びＮチップ搭載端末ＴＮは、説明の便宜上、夫々一つずつ示されているが、リーダライタＲＷは、商品やサービスが提供される多数の場所（例えば、店舗内外、キャンペーン会場内、駅構内等）に設置されるようになっており、Ｆチップ搭載端末ＴＦ及びＮチップ搭載端末ＴＮは、利用者毎に多数存在する。
【００１９】
図２（Ａ）は、リーダライタＲＷの概要構成例を示す図である。図２（Ａ）に示すように、リーダライタＲＷの筐体Ｋの外側上部には、発光ダイオード（ＬＥＤ）２２から発せられる光が遮られないように（例えば、筐体Ｋの内側に設置された発光ダイオード２２の設置位置とは異なる位置（上方から見て異なる位置）に）、ＩＣタグＴａｇ（NFC準拠のNDEFタグ）が貼り付けられている。ＩＣタグＴａｇは、アンテナ１１（第１のアンテナの一例）、及びＩＣ（集積回路）チップ１２（レスポンス手段及びデータ送信手段の一例）を備える。アンテナ１１は、導体により構成される線状のループアンテナであり、Ｎチップ搭載端末ＴＮに搭載されたＮチップ（第１のＩＣチップの一例）との間で無線通信を行うために用いられる。ＩＣチップ１２は、NFCデータ交換フォーマット（NDEF:NFC Data Exchange Format）のデータを記憶するメモリを搭載する。ＩＣチップ１２のメモリには、情報提供サイトのＵＲＬ（Uniform Resource Locator）が予め記憶される。ＩＣチップ１２は、Ｎチップ搭載端末ＴＮに搭載されたＮチップから第１のポーリング間隔Ｉ１で繰り返し無線送信（例えば13.56MHzの電波による無線送信であり、NFCのリーダライタモードに準拠した送信）されるポーリング（問い合わせ）をアンテナ１１を介して受信した場合に、当該ポーリングに対するレスポンス（応答）をアンテナ１１を介してＮチップへ無線送信する。そして、ＩＣチップ１２は、無線送信したレスポンスに応じてＮチップから無線送信されたタグ読み取りコマンドをアンテナ１１を介して受信した場合に、メモリに記憶されたデータ（アクセス先となる情報提供サイトのＵＲＬ）をアンテナ１１を介してＮチップへ無線送信する。
【００２０】
リーダライタＲＷは、図２（Ａ）に示すように、アンテナ２１（第２のアンテナの一例）、発光ダイオード２２、及び制御部２３（ポーリング手段及びコマンド送信手段の一例）を備え、これらの構成要素は、例えば、筐体Ｋの内部に設けられた基板Ｂ上に設置されている。アンテナ２１は、導体により構成される線状のループアンテナであり、Ｆチップ搭載端末ＴＦに搭載されたＦチップ（第２のＩＣチップの一例）との間で無線通信を行うために用いられる。図２（Ｂ）は、リーダライタＲＷの上部から見たアンテナ１１とアンテナ２１の配置関係の一例を示す図（筐体Ｋの上方から見た図）である。図２（Ｂ）に示すように、アンテナ１１とアンテナ２１は、無線通信により一方のアンテナに生じる磁界が他方のアンテナに影響しないように、２つのアンテナ１１，２１の形状で並行する部分がある場合にアンテナ１１，２１間の距離Ｄが互いに所定距離（例えば５ｍｍ）以上離れるように配置されている。言い換えれば、アンテナ１１の導線とアンテナ２１の導線が筐体Ｋの上方から見て並行して走らないように配置されている。発光ダイオード２２は、該発光ダイオード２２から発せられる光をリーダライタＲＷの筐体Ｋの外側上部からユーザが視認できるように、図２（Ａ）に示すように、例えば筐体Ｋの外側上部の４隅の位置に設けられる。制御部２３は、ＣＰＵ，ＲＡＭ，ＲＯＭ，不揮発性メモリ等を備えて構成される。不揮発性メモリには、情報提供サイトのＵＲＬが予め記憶される。そして、制御部２３は、上記第１のポーリング間隔Ｉ１より長い第２のポーリング間隔Ｉ２でポーリングをアンテナ２１を介して繰り返し無線送信（例えば13.56MHzの電波による無線送信であり、FeliCaのカードエミュレーションモードに準拠した送信）する。なお、第２のポーリング間隔Ｉ２は、リーダライタＲＷ設置者側で予め設定される。Ｎチップからの送信されるポーリングと衝突しないように、第２のポーリング間隔Ｉ２は十分とられる。例えば、第２のポーリング間隔Ｉ２は、200msecまたはそれ以上であることが望ましい。そして、制御部２３は、無線送信したポーリングに対するレスポンスをＦチップ搭載端末ＴＦに搭載されたＦチップからアンテナ２１を介して受信した場合に、予め設定されたブラウザ起動コマンド（Ｗｅｂブラウザに所定のＷｅｂサイトへアクセスさせるコマンドの一例）及びアクセス先となる情報提供サイトのＵＲＬをアンテナ２１を介してＦチップへ無線送信する。
【００２１】
Ｆチップ搭載端末ＴＦは、カードエミュレーションモードが採用されたＦチップが搭載されている。一方、Ｎチップ搭載端末ＴＮは、リーダライタモードが採用されたＮチップが搭載されている。Ｆチップ搭載端末ＴＦ及びＮチップ搭載端末ＴＮは、それぞれ、アンテナ、スピーカ、マイク、操作キー、ディスプレイ、及び電子回路基板（ＣＰＵ，ＲＡＭ，ＲＯＭ，不揮発性メモリ等が実装）等を備える携帯電話機またはスマートフォン等である。また、Ｆチップ搭載端末ＴＦ及びＮチップ搭載端末ＴＮのＲＯＭまたは不揮発性メモリには、それぞれ、ＣＰＵにより実行されるＯＳ（オペレーティングシステム）、ミドルウェア、Ｗｅｂブラウザプログラム、及びアプリケーションプログラム等が記憶されている。Ｆチップ搭載端末ＴＦのＣＰＵは、ミドルウェアを実行することによりＦチップとの間で情報の授受を行う。同様に、Ｎチップ搭載端末ＴＮのＣＰＵは、ミドルウェアを実行することによりＮチップとの間で情報の授受を行う。また、Ｆチップ搭載端末ＴＦ及びＮチップ搭載端末ＴＮのＣＰＵは、それぞれ、Ｗｅｂブラウザプログラムを実行することによりＷｅｂブラウザとして機能する。
【００２２】
［２．情報提供システムＳの動作］
次に、図３を参照して、情報提供システムＳの動作について説明する。図３は、本実施形態に係る情報提供システムＳの動作例を示すシーケンス図である。
【００２３】
図３に示すように、リーダライタＲＷの制御部２３は、ポーリング間隔Ｉ２でポーリングを定期的に送出することによりＦチップを探索する。一方、Ｎチップ搭載端末ＴＮのＮチップは、ポーリング間隔Ｉ１でポーリングを定期的に送出することによりＩＣタグＴａｇを探索する。そして、Ｎチップ搭載端末ＴＮがＩＣタグＴａｇの例えば数ｃｍ以内に近づけられると、Ｎチップから送出されたポーリングはその一部がリーダライタＲＷから送出されたポーリングと衝突するが、「ポーリング間隔Ｉ１＜ポーリング間隔Ｉ２」であるため、他の一部は衝突しない。このように衝突しなかったポーリングがＩＣタグＴａｇのＩＣチップ１２により受信されると（ステップＳ１）、ＩＣチップ１２は、受信したポーリングに対するレスポンスをＮチップへ無線送信する（ステップＳ２）。そして、ＩＣタグＴａｇからのレスポンスがＮチップにより受信されると、Ｎチップ搭載端末ＴＮは、ＩＣタグＴａｇを発見することになり、これに応じてタグ読み取りコマンドをＮチップを通じてＩＣタグＴａｇへ無線送信する（ステップＳ３）。そして、タグ読み取りコマンドがＩＣタグＴａｇのＩＣチップ１２により受信されると、ＩＣチップ１２は、受信したタグ読み取りコマンドに応じて、メモリに記憶されたアクセス先ＵＲＬ（情報提供サイトのＵＲＬ）をＮチップへ無線送信する（ステップＳ４）。こうして、ＩＣタグＴａｇからのアクセス先ＵＲＬがＮチップにより受信されると、Ｎチップ搭載端末ＴＮは、Ｗｅｂブラウザを起動し（ステップＳ５）、アクセス先ＵＲＬに従って情報提供サーバＳＡ（情報提供サイト）へアクセスしてリクエストを送信する（ステップＳ６）ことにより広告情報等のコンテンツ情報を取得し（ステップＳ７）、これを表示する。
【００２４】
一方、Ｆチップ搭載端末ＴＦがリーダライタＲＷの例えば数ｃｍ以内に近づけられると、リーダライタＲＷから送出されたポーリングがＦチップ搭載端末ＴＦのＦチップにより受信され（ステップＳ８）、Ｆチップは、受信したポーリングに対するレスポンスをリーダライタＲＷへ無線送信する（ステップＳ９）。そして、ＦチップからのレスポンスがリーダライタＲＷにより受信されると、リーダライタＲＷの制御部２３は、Ｆチップを発見することになり、これに応じてブラウザ起動コマンド及びアクセス先ＵＲＬ（情報提供サイトのＵＲＬ）をＦチップへ無線送信する（ステップＳ１０）。こうして、リーダライタＲＷからのブラウザ起動コマンド及びアクセス先ＵＲＬがＦチップにより受信されると、Ｆチップ搭載端末ＴＦは、Ｗｅｂブラウザを起動し（ステップＳ１１）、アクセス先ＵＲＬに従って情報提供サーバＳＡ（情報提供サイト）へアクセスしてリクエストを送信する（ステップＳ１２）ことにより広告情報等のコンテンツ情報を取得し（ステップＳ１３）、これを表示する。
【００２５】
以上説明したように、上記実施形態によれば、リーダライタＲＷにＩＣタグＴａｇを貼り付けるように構成し、リーダライタＲＷによりＦチップを探索するためのポーリングのポーリング間隔Ｉ２を、Ｎチップ搭載端末ＴＮのＮチップによりＩＣタグＴａｇを探索するためのポーリングのポーリング間隔Ｉ１より長く設定するように構成したので、または、リーダライタＲＷによりＦチップを探索するためのポーリングのポーリング間隔Ｉ２をＮチップ搭載端末ＴＮのＮチップによりＩＣタグＴａｇを探索するためのポーリングと衝突しないような十分な間隔をとってポーリングする構成としたので、リーダライタＲＷとＩＣタグＴａｇとが同じ場所に設置された場合であっても、リーダライタＲＷから送出されるポーリングと、Ｎチップから送出されるポーリングとが衝突することを低減することができる（つまり、リーダライタＲＷからポーリングが送出されていない期間、Ｎチップからのポーリングが有効となる）。そのため、Ｆチップ搭載端末とＮチップ搭載端末の双方に対して同じようにサイトアクセスのサービスを提供することが可能となる。また、これにより、Ｆチップ搭載端末用の新たなリーダライタを開発するコストを削減することができる。また、Ｆチップ用のリーダライタＲＷにＮチップに情報を提供するためのＩＣタグＴａｇを備えることができ、人目に気づかれるように設置する１台のリーダライタＲＷで、Ｆチップ搭載端末とＮチップ搭載端末のいずれにも対応させることができるようになる。また、ＩＣタグＴａｇのアンテナ１１とリーダライタＲＷのアンテナ２１は、互いに並行して重ならないように設置したので、電波特性にできるだけ影響を与えないようにすることができ、その結果、リーダライタＲＷから送出されるポーリングと、Ｎチップから送出されるポーリングとが衝突することをより一層、低減することができる。なお、上記実施形態において、FeliCa（登録商標）の技術を適用したが、例えばMIFARE(R)ウルトラライトの技術を適用しても良い。
【符号の説明】
【００２６】
１１  アンテナ
１２  ＩＣチップ
Ｔａｇ  ＩＣタグ
２１  アンテナ
２２  発光ダイオード
２３  制御部
ＲＷ  リーダライタ
ＴＦ  Ｆチップ搭載端末
ＴＮ  Ｎチップ搭載端末
ＳＡ  情報提供サーバ
Ｓ  情報提供システム
【図１】
0005880091.tif 000002
【図３】
0005880091.tif 000003
【図２】
0005880091.tif 000004